【手続補正書】
【提出日】令和1年11月23日(2019.11.23)
【手続補正１】
【補正対象書類名】特許請求の範囲
【補正対象項目名】全文
【補正方法】変更
【補正の内容】
【特許請求の範囲】
【請求項１】
親装置と、該親装置との間で通信を行う子装置とから構成されるライブ映像送信システムであって、
前記子装置は、撮像手段と、該撮像手段が撮像した結果に基づいて生成された映像信号を前記親装置に送信する映像信号送信手段とを備え、
前記親装置は、前記子装置から受信した映像信号を、そのままで又は必要な変換を行った上で、複数の端末装置宛に同時にリアルタイムで送信する機能を有する、
ことを特徴とする、ライブ映像送信システム。
【請求項２】
前記親装置は、前記複数の端末装置の各々が発信した表示範囲設定信号を受信する機能を有し、
前記子装置又は親装置は、該表示範囲設定信号に基づいて、「『該表示範囲設定信号の送信元である端末装置』宛に送信する映像信号」の表示範囲を変化させる、
ことを特徴とする、請求項１に記載のライブ映像送信システム。
【請求項３】
前記親装置は、前記複数の端末装置の各々が発信した「前記撮像手段の視座を特定する信号（以下「視座特定信号」）及び／又は視線方向を特定する信号（以下「視線方向特定信号」）」を受信する機能を有し、
前記子装置は、該視座特定信号及び／又は該視線方向特定信号に基づいて、前記撮像手段の撮像範囲を変化させる、
ことを特徴とする、請求項１又は２に記載のライブ映像送信システム。
【請求項４】
前記子装置は、空間内（宇宙空間内及び水中を含む）を三次元的に移動するための空間内移動運動手段を備え、
該空間内移動運動手段が、前記視座設定信号に基づいて空間内を三次元的に移動することで、前記撮像手段の視座が変化する、
ことを特徴とする、請求項３に記載のライブ映像送信システム。
【請求項５】
前記子装置の撮像手段は広角カメラであり、
前記子装置又は親装置は、前記視線方向設定信号に基づいて、広角カメラの撮像範囲から一定の範囲を切り出した表示範囲の映像信号を生成する、
ことを特徴とする、請求項３に記載のライブ映像送信システム。
【手続補正２】
【補正対象書類名】明細書
【補正対象項目名】０００１
【補正方法】変更
【補正の内容】
【０００１】
本発明は、ライブ映像送信システムに関し、特に、複数の利用者が、直接視認できない対象をリアルタイムで同時に観察することができるライブ映像送信システムに関する。また、特に、遠隔地にいる複数の利用者が、あたかも各自が現地で動きながら観察しているかのような臨場感をもって映像を楽しむことができるライブ映像送信システムに関する。
【手続補正３】
【補正対象書類名】明細書
【補正対象項目名】０００４
【補正方法】変更
【補正の内容】
【０００４】
上記のような問題を解決する方法として、遠隔地にいる利用者に対して、現地にあって直接視認できない対象のライブ映像をリアルタイムで表示することにより、「疑似的な観光体験」を提供する方法が考えられる。しかし、テレビ電話やテレビの生中継放送では「観光体験」というには程遠いため、それ以上の臨場感をもって、直接視認できない対象をリアルタイムで観察することができるライブ映像配信システムが必要となる。
【手続補正４】
【補正対象書類名】明細書
【補正対象項目名】０００５
【補正方法】変更
【補正の内容】
【０００５】
利用者に対して、直接視認できない対象のライブ映像をリアルタイムで表示することができるライブ映像配信システムとしては、従来、特許文献１に記載されたような「遠隔監視カメラ」（以下「従来技術１」という）や、特許文献２に記載されたような「無人ヘリコプターを用いたモニタシステム」（以下「従来技術２」という）などが提案されている。
【手続補正５】
【補正対象書類名】明細書
【補正対象項目名】０００６
【補正方法】変更
【補正の内容】
【０００６】
しかし、これら従来のシステムは、映像を撮像する装置と表示する装置とが一対で構成されているため、各々の時点で映像の表示範囲を設定できるのは、一人の利用者に限定される。この結果、複数の利用者が、直接視認できない対象をリアルタイムで同時に観察することができないという問題がある。
【手続補正６】
【補正対象書類名】明細書
【補正対象項目名】００１１
【補正方法】変更
【補正の内容】
【００１１】
本発明は、このような事情に鑑みてなされたものであり、複数の利用者が、直接視認できない対象をリアルタイムで同時に観察することができるライブ映像配信システムを提供することを目的とする。特に、観察対象のある現地と利用者のいる遠隔地との間の距離が遠い場合でも利用できるライブ映像配信システムを提供することを目的とする。
【手続補正７】
【補正対象書類名】明細書
【補正対象項目名】００１２
【補正方法】変更
【補正の内容】
【００１２】
また、本発明は、現地にある対象を観察する視線及び視座を自由に動かすことができるライブ映像配信システムを提供することを目的とする。特に、遠隔地にいる利用者が、あたかも自分自身が現地で動きながら観察しているかのような臨場感をもって映像を楽しむことができるライブ映像配信システムを提供することを目的とする。
【手続補正８】
【補正対象書類名】明細書
【補正対象項目名】００１３
【補正方法】変更
【補正の内容】
【００１３】
上記目的を達成するために、ライブ映像配信システムに係る本発明の第１の様態は、
表示範囲が異なる複数系統の映像信号を生成する映像信号生成手段と、公衆ネットワークとの間で信号をやり取りするための通信手段１と、を備える現地側ライブ映像送信システムと；
映像表示手段と、表示範囲設定信号生成手段と、公衆ネットワークとの間で信号をやり取りするための通信手段２と、を備える複数の端末装置と；
から構成されるライブ映像配信システムであって、
前記現地側ライブ映像送信システムの映像信号生成手段が生成する映像信号の系統と前記端末装置とは対応付けられており、
前記現地側ライブ映像送信システムは、
前記各系統の映像信号の表示範囲を、各系統に対応付けられた前記端末装置の表示範囲設定信号生成手段が生成し、公衆ネットワークを介して受信した表示範囲設定信号が担う表示範囲設定情報に基づいて定める機能と；
前記映像信号生成手段が生成した映像信号を公衆ネットワークに送信する機能と；
を有し、
前記端末装置は、
前記表示範囲設定信号生成手段が生成した表示範囲設定信号を公衆ネットワークに送信する機能と；
前記現地側ライブ映像送信システムの映像信号生成手段が生成する映像信号のうち、自身に対応付けられた系統の映像信号を、公衆ネットワークを介して受信する機能と；
前記受信した映像信号が担う映像情報に基づいて映像を表示する機能と；
を有する、
ように構成した。
【手続補正９】
【補正対象書類名】明細書
【補正対象項目名】００１４
【補正方法】変更
【補正の内容】
【００１４】
また、上記目的を達成するために、ライブ映像配信システムに係る本発明の第２の様態は、
表示範囲が異なる複数系統の映像信号を生成する映像信号生成手段と、後記中継装置との間で信号をやり取りするための通信手段１’と、を備える現地側ライブ映像送信システムと；
前記現地側ライブ映像送信システムとの間で信号をやり取りするための通信手段３Ａと、公衆ネットワークとの間で信号をやり取りするための通信手段３Ｂと、を備える中継装置と；
映像表示手段と、表示範囲設定信号生成手段と、公衆ネットワークとの間で信号をやり取りするための通信手段２と、を備える複数の端末装置と；
から構成されるライブ映像配信システムであって、
前記現地側ライブ映像送信システムの映像信号生成手段が生成する映像信号の系統と前記端末装置とは対応付けられており、
前記現地側ライブ映像送信システムは、
前記各系統の映像信号の表示範囲を、各系統に対応付けられた前記端末装置の表示範囲設定信号生成手段が生成し、「公衆ネットワーク及び前記中継装置」を介して受信した表示範囲設定信号が担う表示範囲設定情報に基づいて定める機能と；
前記映像信号生成手段が生成した映像信号を前記中継装置に送信する機能と；
を有し、
前記端末装置は、
前記表示範囲設定信号生成手段が生成した表示範囲設定信号を公衆ネットワークに送信する機能と；
前記現地側ライブ映像送信システムの映像信号生成手段が生成する映像信号のうち、自身に対応付けられた系統の映像信号を、「公衆ネットワーク及び前記中継装置」を介して受信する機能と；
前記受信した映像信号が担う映像情報に基づいて映像を表示する機能と；
を有する、
ように構成した。
【手続補正１０】
【補正対象書類名】明細書
【補正対象項目名】００１５
【補正方法】変更
【補正の内容】
【００１５】
本発明の第１及び第２の様態において、現地側ライブ映像送信システムの映像信号生成手段は、入射光を光電変換するイメージセンサー（ＣＣＤ（Charge Coupled Device）やＣＭＯＳ（Complementary Metal Oxide Semiconductor）等）から構成される撮像手段と、撮像手段からの電気信号（以下「撮像電気信号」と略記する）を、デジタルＲＧＢ、ＬＶＤＳ（Low Voltage Differential Signaling）（又はＬＤＩ（ＬＶＤＳ Display Interface））、ＧＶＩＦ（GigabitVideo InterFace）、ＵＳＢ（Universal Serial Bus）、DisplayPort、WirelessＨＤ（High Definition）、ＷＨＤＩ（Wireless Home Digital Interface）、ＷｉＧｉｇ（Wireless Gigabit）などの方式で伝送される非圧縮の映像信号（以下「非圧縮映像信号」という）に変換し、さらに、該非圧縮映像信号を、Ｈ.２６１、Ｈ.２６３、Ｈ.２６４、ＭＰＥＧ（Moving Picture Experts Group）−１、ＭＰＥＧ−２、ＭＰＥＧ−４等の規格によって圧縮符号化された映像信号（以下「圧縮映像信号」という）に変換する映像信号変換手段によって構成することができる。そして、その場合には、現地側ライブ映像送信システムの通信手段１から公衆ネットワークへ、又は、又は通信手段１’から中継装置へ、前記圧縮映像信号が送信される。
【手続補正１１】
【補正対象書類名】明細書
【補正対象項目名】００２０
【補正方法】変更
【補正の内容】
【００２０】
映像信号の系統と端末装置との対応付けは、各端末装置に対してＩＰアドレスを与えた上で、現地側ライブ映像送信システムでは、各系統の映像信号の表示範囲の設定や送信を、各端末装置から受信したＩＰアドレスに基づいて行うことで実現される。その場合、特に、現地側ライブ映像送信システムから映像信号を送信する際には、対応付けられるべき端末装置のＩＰアドレスを宛先ＩＰアドレスとして指定する。
【手続補正１２】
【補正対象書類名】明細書
【補正対象項目名】００２２
【補正方法】変更
【補正の内容】
【００２２】
なお、現地側ライブ映像送信システムの映像信号生成手段が生成し、公衆ネットワーク又は「公衆ネットワーク及び前記中継装置」を介して受信する映像信号が３Ｄ映像の映像信号である場合には、端末装置の映像表示手段としても、３Ｄディスプレイを採用することが好ましい。特に、視野の大部分を覆う没入型（非透過型）３Ｄ−ＨＭＤ（３Ｄ対応のＨＭＤ）を採用することで、没入感のある視覚体験を提供することができる。
【手続補正１３】
【補正対象書類名】明細書
【補正対象項目名】００２３
【補正方法】変更
【補正の内容】
【００２３】
端末装置の表示範囲設定信号生成手段は、表示範囲の中心を定める表示中心設定信号を生成する表示中心設定信号生成手段と、表示範囲の拡がり（上下左右の幅）を定める表示幅設定信号を生成する表示幅設定信号生成手段によって構成することができる。そして、その場合には、端末装置が、それらの信号が担う情報に基づいて表示範囲設定信号を生成し、公衆ネットワークに送信してもよいし、現地側ライブ映像送信システムがそれらの信号を受信し、受信した信号が担う情報に基づいて映像信号の表示範囲を定めてもよい。特に、後者の場合、端末装置から送信される表示範囲設定信号は、表示中心設定信号と表示幅設定信号とから構成されることになる。
【手続補正１４】
【補正対象書類名】明細書
【補正対象項目名】００２７
【補正方法】変更
【補正の内容】
【００２７】
特に、本発明の第２の様態において、現地側ライブ映像送信システムと中継装置との間の信号のやり取りは、無線又は有線の専用回線で行うことができる。なお、現地側ライブ映像送信システムが宇宙空間にある場合には、中継装置としては、通信衛星を利用することができる。
【手続補正１５】
【補正対象書類名】明細書
【補正対象項目名】００２８
【補正方法】変更
【補正の内容】
【００２８】
また、特に、本発明の第２の様態において、現地側ライブ映像送信システムと端末装置との間で信号のやり取りを中継装置を介して行う際、中継装置において何らかの信号変換処理を行ってもよい。したがって、本明細書及び特許請求の範囲において、「〜信号を『公衆ネットワーク及び前記中継装置』を介して受信」という場合、中継装置において信号変換処理を行う構成も含む。
【手続補正１６】
【補正対象書類名】明細書
【補正対象項目名】００３３
【補正方法】変更
【補正の内容】
【００３３】
上記目的を達成するために、ライブ映像配信システムに係る本発明の第５の様態は、第１の様態のライブ映像配信システムにおいて、
前記現地側ライブ映像送信システムは、
所定の撮像範囲を撮像する撮像手段と、後記親装置及び／又は公衆ネットワークとの間で信号をやり取りするための通信手段１Ａと、を備える複数の子装置と；
前記子装置との間で信号をやり取りするための通信手段１Ｂと、公衆ネットワークとの間で信号をやり取りするための通信手段１Ｃと、を備える親装置と；
を備え、
前記子装置と前記端末装置とは対応付けられており、
前記子装置は、
前記撮像手段の撮像範囲を、自身に対応付けられた前記端末装置の前記表示範囲設定信号生成手段が生成し、公衆ネットワークを介して又は「公衆ネットワーク及び前記親装置」を介して受信した表示範囲設定信号が担う表示範囲設定情報に基づいて定める機能と；
前記撮像手段が撮像した結果に基づいて映像信号を生成し、該映像信号を前記親装置又は公衆ネットワークに送信する機能と；
を有し、
前記端末装置は、
自身に対応付けられた前記子装置が生成する映像信号を、公衆ネットワークを介して又は「公衆ネットワーク及び前記親装置」を介して受信する機能と；
前記受信した映像信号が担う映像情報に基づいて映像を表示する機能と；
を有する、
ように構成した。
【手続補正１７】
【補正対象書類名】明細書
【補正対象項目名】００３５
【補正方法】変更
【補正の内容】
【００３５】
上記目的を達成するために、ライブ映像配信システムに係る本発明の第６の様態は、第２の様態のライブ映像配信システムにおいて、
前記現地側ライブ映像送信システムは、
所定の撮像範囲を撮像する撮像手段と、後記親装置との間で信号をやり取りするための通信手段１Ａ’と、を備える複数の子装置と；
前記子装置との間で信号をやり取りするための通信手段１Ｂと、中継装置との間で信号をやり取りするための通信手段１Ｄと、を備える親装置と；
を備え、
前記子装置と前記端末装置とは対応付けられており、
前記子装置は、
前記撮像手段の撮像範囲を、自身に対応付けられた前記端末装置の前記表示範囲設定信号生成手段が生成し、「公衆ネットワーク、前記中継装置及び前記親装置」を介して受信した表示範囲設定信号が担う表示範囲設定情報に基づいて定める機能と；
前記撮像手段が撮像した結果に基づいて映像信号を生成し、該映像信号を前記親装置に送信する機能と；
を有し、
前記端末装置は、
自身に対応付けられた前記子装置が生成する映像信号を、「公衆ネットワーク、前記中継装置及び前記親装置」を介して受信する機能と；
前記受信した映像信号が担う映像情報に基づいて映像を表示する機能と；
を有する、
ように構成した。
【手続補正１８】
【補正対象書類名】明細書
【補正対象項目名】００３６
【補正方法】変更
【補正の内容】
【００３６】
本発明の第５及び第６の様態において、現地側ライブ映像送信システムは、現地側ライブ映像送信システムを構成する複数の子装置が、各々、自身に対応付けられた端末装置の表示範囲設定信号生成手段が生成する表示範囲設定信号が担う表示範囲設定情報に基づいて撮像手段の撮像範囲を定め、撮像手段が撮像した結果に基づいて映像信号を生成することにより、表示範囲が異なる複数系統の映像信号を生成することができる。
【手続補正１９】
【補正対象書類名】明細書
【補正対象項目名】００６１
【補正方法】変更
【補正の内容】
【００６１】
特に、子装置が、「軌道上、移動面上又は空間中の移動」（以下「移動運動」と略記する）に加えて、自身の回転軸又は回転中心のまわりの回転運動を行うことができる構成の場合には、端末装置の運動制御信号生成手段として、前記ジョイスティックコントローラによって移動運動を制御する信号（以下「移動運動制御信号」と略記する）を生成し、利用者の頭部の動きを検知して回転運動を制御する信号（以下「回転運動制御信号」と略記する）を生成する構成とすることができる。そして、その場合には、端末装置が、それらの信号が担う情報に基づいて二次的な運動制御信号を生成し、公衆ネットワークに送信してもよいし、現地側ライブ映像送信システムがそれらの信号を受信し、受信した信号が担う情報に基づいて映像信号の表示範囲を定めてもよい。特に、後者の場合、端末装置から送信される運動制御信号は、移動運動制御信号と回転運動制御信号とから構成されることになる。
【手続補正２０】
【補正対象書類名】明細書
【補正対象項目名】００７２
【補正方法】変更
【補正の内容】
【００７２】
上記目的を達成するために、ライブ映像配信システムに係る本発明の第１２の様態は、第１乃至１１のいずれか一つの様態のライブ映像配信システムにおいて、
前記現地側ライブ映像送信システムは、現地側ライブ映像送信システムの周囲の音声を集音して音声信号を生成する音声信号生成手段を備え、
前記端末装置は、
放音手段を備え；
現地側ライブ映像送信システムの音声信号生成手段が生成した音声信号を、公衆ネットワーク又は「公衆ネットワーク及び中継装置」を介して受信する機能と；
前記受信した音声信号が担う音声情報に基づいて音声を放出する機能と；
を有する、
ように構成した。
【手続補正２１】
【補正対象書類名】明細書
【補正対象項目名】００７３
【補正方法】変更
【補正の内容】
【００７３】
本発明の第１２の様態において、現地側ライブ映像送信システムの音声信号生成手段を複数のマイクロフォンで構成することにより、ステレオ音声信号を送信するようにすることができる。そして、その場合には、端末装置は、左右の放音部から音声を放出構成とすることが好ましい。
【手続補正２２】
【補正対象書類名】明細書
【補正対象項目名】００７４
【補正方法】変更
【補正の内容】
【００７４】
本発明の第１２の様態において、現地側ライブ映像送信システムは、ＭＰＥＧ規格によって圧縮符号化した映像・音声信号を送信する構成とすることで、映像（ビデオ）情報と音声（オーディオ）情報を一体的に扱うことができる。
【手続補正２３】
【補正対象書類名】明細書
【補正対象項目名】００７６
【補正方法】変更
【補正の内容】
【００７６】
上記目的を達成するために、ライブ映像配信システムに係る本発明の第１３の様態は、第１乃至１２のいずれか一つの様態のライブ映像配信システムにおいて、
前記現地側ライブ映像送信システムは可搬型である、
ように構成した。
【手続補正２４】
【補正対象書類名】明細書
【補正対象項目名】００７９
【補正方法】変更
【補正の内容】
【００７９】
上記目的を達成するために、ライブ映像配信システムに係る本発明の第１５の様態は、第１乃至第１４のいずれか一つの様態のライブ映像配信システムを用いたライブ映像マルチ配信システムであって、
互いに離れた場所に設置された複数の前記現地側ライブ映像送信システムと、
複数の前記端末装置と、
から構成され、
前記端末装置は、現地側ライブ映像送信システムを選択する手段を備える、
ように構成した。
【手続補正２５】
【補正対象書類名】明細書
【補正対象項目名】００８０
【補正方法】変更
【補正の内容】
【００８０】
本発明のライブ映像配信システムによれば、現地側ライブ映像送信システムから複数系統の映像信号が複数の端末装置に送信されるため、該複数系統の端末装置を利用する複数の利用者は、直接視認できない対象をリアルタイムで同時に観察することができる。また、利用者は、マニュアル操作や身体運動によって、手元の端末装置の表示範囲設定信号生成手段を作動させることによって、現地側ライブ映像送信システムの映像信号生成手段が生成する映像信号のうち、手元の端末装置に対応付けられた系統の映像信号の表示範囲を設定し、その表示範囲の内部にある観察対象の映像を手元の端末装置の映像表示手段に表示させることができる。このため、利用者自身が観察したい対象をリアルタイムで観察することができる。しかも、複数の利用者が、相互に独立に映像の表示範囲を設定することができるので、各々が観察したい別個の対象をリアルタイムで同時に観察することができる。なお、この際、現地側ライブ映像送信システムの映像信号生成手段が生成する映像信号の系統と端末装置とは対応付けられているため、他の利用者のマニュアル操作や身体運動によって、自らの手元の端末装置に表示される映像の表示範囲が変えられるような問題は生じない。
【手続補正２６】
【補正対象書類名】明細書
【補正対象項目名】００８１
【補正方法】変更
【補正の内容】
【００８１】
したがって、現地側ライブ映像送信システムを秘境、あるいは、宇宙空間、深海といったフロンティア空間に設置し、端末装置を遠隔地に設置することで、遠隔地にいる利用者に対して、「疑似的な観光体験」を提供できるようになる。このため、利用者は、秘境やフロンティア空間に赴く必要がないため、希少な自然環境や貴重な遺跡が破壊されることがなくなる。また、現地に赴くためのコストが不要となり、無重力や高気圧などによって身体に過大な負荷がかかったり、現地への移動手段の破損によって生命が危険にさらされたりするリスクを回避又は軽減できる。
【手続補正２７】
【補正対象書類名】明細書
【補正対象項目名】００８２
【補正方法】変更
【補正の内容】
【００８２】
また、現地側ライブ映像送信システムと端末装置との間の信号のやり取りは、公衆ネットワーク又は「公衆ネットワーク及び中継装置」を介して行うので、端末装置を作動させる利用者が、観察対象が存在する現地から遠距離の場所にいても問題がない。特に、公衆ネットワークとしてインターネットを利用する場合には、インターネットへのアクセスの問題を除けば、地球上であれば、距離的な制約はない。
【手続補正２８】
【補正対象書類名】明細書
【補正対象項目名】００８４
【補正方法】変更
【補正の内容】
【００８４】
特に、本発明の第１の様態のライブ映像配信システムによれば、現地側ライブ映像送信システムが直接に公衆ネットワークにアクセスするため、中継装置を設ける必要がない。
【手続補正２９】
【補正対象書類名】明細書
【補正対象項目名】００８５
【補正方法】変更
【補正の内容】
【００８５】
一方、特に、本発明の第２の様態のライブ映像配信システムによれば、現地側ライブ映像送信システムは中継装置と通信するため、観察対象が、例えば宇宙空間や海中のように、アクセス可能な公衆ネットワークが存在しない地域や領域に存在するであっても、観察を行うことができる。
【手続補正３０】
【補正対象書類名】明細書
【補正対象項目名】００８７
【補正方法】変更
【補正の内容】
【００８７】
また、特に、本発明の第４の様態のライブ映像配信システムによれば、身体運動補助手段なしでは実現できないような身体の運動が実現でき、しかも、端末装置の表示手段に表示される映像の表示範囲は、その運動に対応して設定しているため、多様な視覚体験を提供することができる。特に、現地側ライブ映像送信システムが海中や宇宙空間に設置されており、一方、身体運動補助手段として水を張ったプールを利用する場合には、利用者がプールで水中遊泳することで、あたかも宇宙遊泳や深海遊泳をするような「模擬的な観光体験」を提供することができる。
【手続補正３１】
【補正対象書類名】明細書
【補正対象項目名】００８８
【補正方法】変更
【補正の内容】
【００８８】
また、特に、本発明の第５及び第６の様態のライブ映像配信システムによれば、子装置が生成した映像信号が複数の端末装置に送信されるため、該複数系統の端末装置を利用する複数の利用者は、直接視認できない対象をリアルタイムで同時に観察することができる。また、現地側ライブ映像送信システムを構成する複数の子装置の各々が、自身に対応付けられた端末装置の表示範囲設定信号生成手段が生成する表示範囲設定信号が担う表示範囲設定情報に基づいて撮像手段の撮像範囲を定め、撮像手段が撮像した結果に基づいて映像信号を生成することにより、表示範囲が異なる複数系統の映像信号を生成することができる。このため、端末装置の利用者が多数になって、多数の系統の映像信号を生成・送信する必要が生じた場合でも、子装置を増やすことによって容易に対応することができる。
【手続補正３２】
【補正対象書類名】明細書
【補正対象項目名】００９３
【補正方法】変更
【補正の内容】
【００９３】
また、特に、本発明の第１２の様態のライブ映像配信システムによれば、遠隔地にいる利用者は、現地の観察対象を視覚的に観察するだけではなく、現地の状況を聴覚的にも認識できるようになる。したがって、現地側ライブ映像送信システムを観光地（秘境、フロンティア空間を含む）に設置した場合には、臨場感が増した「疑似的な観光体験」を提供することができる。
【手続補正３３】
【補正対象書類名】明細書
【補正対象項目名】００９４
【補正方法】変更
【補正の内容】
【００９４】
また、特に、本発明の第１３の様態のライブ映像配信システムによれば、現地側ライブ映像送信システムを様々な場所に移動させて使用することができる。
【手続補正３４】
【補正対象書類名】明細書
【補正対象項目名】００９５
【補正方法】変更
【補正の内容】
【００９５】
また、特に、本発明の第１４の様態のライブ映像配信システムによれば、現地側ライブ映像送信システムは、親装置の長距離移動手段によって、観察対象が存在する場所に移動することができる。特に、親装置の長距離移動手段として、自動車、船舶、航空機、潜水船、宇宙船等の汎用的な長距離移動手段を使用した場合、子装置を小型・軽量化することによって、汎用的な長距離移動手段に、人間が実際に搭乗するよりも多数の子装置を積載することができる。
【手続補正３５】
【補正対象書類名】明細書
【補正対象項目名】００９６
【補正方法】変更
【補正の内容】
【００９６】
また、特に、本発明の第１５の様態のライブ映像配信システムによれば、現地側ライブ映像送信システムを異なる観光地（秘境、フロンティア空間を含む）に設置し、端末装置を用いて現地側ライブ映像送信システムを選択するような構成とすることによって、一箇所に留まる利用者に対して、複数の観光地における「疑似的な観光体験」を提供することができる。
【手続補正３６】
【補正対象書類名】明細書
【補正対象項目名】００９７
【補正方法】変更
【補正の内容】
【００９７】
【図１】本発明の実施例１に係るライブ映像配信システムの構成及び機能を説明するためのブロック図である。
【図２】本発明の実施例２に係るライブ映像配信システムのうち、現地側ライブ映像送信システム（親装置及び子装置）と中継装置の構成及び機能を説明するためのイメージ図である。
【図３】本発明の実施例３に係るライブ映像配信システムのうち、現地側ライブ映像送信システム（親装置及び子装置）と中継装置の構成及び機能を説明するためのイメージ図である。
【図４】撮像手段の撮像範囲、視座、視線及び視点（撮像範囲の中心）を説明するための説明図である。
【手続補正３７】
【補正対象書類名】明細書
【補正対象項目名】００９９
【補正方法】変更
【補正の内容】
【００９９】
図１は、本発明の実施例１に係るライブ映像配信システムの構成及び機能を説明するためのブロック図である。
本実施例においては、ライブ映像配信システムは、子装置Ａ_1A〜子装置Ｆ_1Fと親装置2から構成される現地側ライブ映像送信システム、中継装置3、及び、端末装置Ａ_5A〜端末装置Ｆ_5Fから構成される。
【手続補正３８】
【補正対象書類名】明細書
【補正対象項目名】０１０２
【補正方法】変更
【補正の内容】
【０１０２】
また、子装置Ａ_1A〜子装置Ｆ_1Fには、それぞれ現地側ライブ映像送信システム内で定義された識別番号が割り振られ、一方、端末装置Ａ_5A〜端末装置Ｆ_5Fを構成する通信ユニットには、それぞれＩＰアドレスが与えられている。前記識別番号と前記ＩＰアドレスとが対応付けられることによって、子装置Ａ_1Aと端末装置Ａ_5A、子装置Ｂ_1Bと端末装置Ｂ_5B、子装置Ｃ_1Cと端末装置Ｃ_5C、子装置Ｄ_1Dと端末装置Ｄ_5D、子装置Ｅ_1Eと端末装置Ｅ_5E、子装置Ｆ_1Fと端末装置Ｆ_5Fは、それぞれ対応付けられている。
【手続補正３９】
【補正対象書類名】明細書
【補正対象項目名】０１２８
【補正方法】変更
【補正の内容】
【０１２８】
図２は、本発明の実施例２に係るライブ映像配信システムのうち、現地側ライブ映像送信システム（親装置及び子装置）と中継装置の構成及び機能を説明するためのイメージ図である。
本実施例においては、ライブ映像配信システムは、子装置Ａ_1A〜子装置Ｆ_1Fと親装置2から構成される現地側ライブ映像送信システム、中継装置Ａ_3Aと中継装置Ｂ_3B、及び、端末装置Ａ_5A〜端末装置Ｆ_5F（図示されない）から構成される。
【手続補正４０】
【補正対象書類名】明細書
【補正対象項目名】０１３８
【補正方法】変更
【補正の内容】
【０１３８】
また、本実施例における端末装置（ヘッドフォン一体型ＨＭＤ）は、本発明に係るライブ映像配信システムの現地側ライブ映像送信システムとは独立に使用することも可能である。例えば、観光地の情景を多数の撮像手段を用いて様々な位置・角度からあらかじめ撮像しておき、取得された多数の撮像データに基づいて、任意の視点における映像信号を生成する任意視点
（Free Viewpoint）映像生成装置と組み合わせて使用することが可能である。この場合、任意視点映像生成装置は、ヘッドフォン一体型ＨＭＤのコントローラが生成する運動制御一次信号が担う視点情報に基づいて、映像信号を生成する。
【手続補正４１】
【補正対象書類名】明細書
【補正対象項目名】０１３９
【補正方法】変更
【補正の内容】
【０１３９】
図３は、本発明の実施例３に係るライブ映像配信システムのうち、現地側ライブ映像送信システム（親装置及び子装置）と中継装置の構成及び機能を説明するためのイメージ図である。
この実施形態においては、ライブ映像配信システムは、子装置Ａ_1A〜子装置Ｆ_1Fと親装置2から構成される現地側ライブ映像送信システム、中継装置Ａ_3Aと中継装置Ｂ_3B、及び、端末装置Ａ_5A〜端末装置Ｆ_5F（図示されない）から構成される。